(57)【特許請求の範囲】
【請求項１】
駐車場管理サーバによって実行される駐車場管理方法であって、
複数のローカル駐車管理端末のうち１つのローカル駐車管理端末から遠隔呼び出し要求を受信するステップと、
管理中の複数の駐車場の中で遠隔呼び出し要求をした駐車場の駐車場識別子をデータベースから抽出し、抽出された駐車場識別子を用いて遠隔呼び出し要求をした駐車場の管理者が用いる管理者携帯端末の識別子をデータベースから抽出するステップと、
抽出された管理者携帯端末の識別子を用いて前記管理者携帯端末に遠隔呼び出し要求をしたローカル駐車管理端末との接続要求を送信するステップと、
前記ローカル駐車管理端末との接続要求に対する応答を前記管理者携帯端末から受信することによって、前記管理者携帯端末と前記遠隔呼び出し要求をしたローカル駐車管理端末との間で圧縮されたビデオ信号をリアルタイムで送信するためのビデオチャンネルを設定するステップと、 
前記管理者携帯端末から割引項目に対する適用要求を受信し、割引項目を適用して駐車料金を精算するステップと、を含み、
前記遠隔呼び出し要求及び前記接続要求は、遠隔呼び出しした車両ユーザの車両ナンバー、割引項目及び精算予定の駐車料金を含み、精算される駐車料金は、精算予定の駐車料金に対する割引項目の適用で算出され、
前記管理者携帯端末は、設定された前記ビデオチャンネルを介して前記ローカル駐車管理端末に接続された機器に備えられたカメラからの圧縮されたビデオ信号を受信する、駐車場管理方法。
【請求項２】
前記駐車料金の精算ステップの後に、前記管理者携帯端末に精算完了を示す情報を送信し、前記管理者携帯端末から遮断バーを開く遮断バー制御情報を受信するステップと、
前記遮断バー制御情報を前記１つのローカル駐車管理端末に送信するステップと、をさらに含む、請求項１に記載の駐車場管理方法。
【請求項３】
複数のローカル駐車管理端末のうち１つのローカル駐車管理端末から入庫情報を受信するステップと、
前記入庫情報の受信により、現在の駐車状況情報をアップデートするステップと、
アップデートされた現在の駐車状況情報を前記ローカル駐車管理端末の駐車場を管理する管理者携帯端末に送信するステップと、をさらに含む、請求項１に記載の駐車場管理方法。
【請求項４】
前記管理者携帯端末から車両検索要求を受信するステップと、
前記車両検索要求に対応する車両ナンバーの駐車時間及び駐車料金を算出するステップと、
算出された駐車時間及び駐車料金を前記管理者携帯端末に送信するステップと、をさらに含む、請求項３に記載の駐車場管理方法。
【請求項５】
駐車場を遠隔で管理するための携帯端末によって実行される駐車場管理方法であって、
接続要求を駐車場管理サーバから受信するステップと、
接続要求に対応するアプリプログラムを接続要求の受信により自動的に駆動し、接続要求に対する応答を前記駐車場管理サーバに送信するステップと、
前記駐車場管理サーバの調整下に接続要求を誘導した駐車場のローカル駐車管理端末とリアルタイムで圧縮されたビデオ信号を送信することができるビデオチャンネルを設定するステップと、を含み、
前記接続要求は、遠隔呼び出しした車両ユーザの車両ナンバー、割引項目及び精算予定の駐車料金を含み、
前記駐車場管理方法は、前記車両ナンバー、割引項目及び駐車料金と割引適用のためのアイコンをディスプレイし、設定されたビデオチャンネルを介して前記ローカル駐車管理端末から直接受信した圧縮されたビデオ信号をディスプレイするステップと、
割引適用のための前記アイコンに対する選択入力の受信により前記割引項目に対する適用要求を前記駐車場管理サーバに送信するステップと、をさらに含む、駐車場管理方法。
【請求項６】
前記適用要求の送信ステップの後に、前記駐車場管理サーバから精算完了を示す情報を受信するステップと、前記精算完了情報の受信の後に、ディスプレイされている開閉アイコンの選択を受信して遮断バーを開く遮断バー制御情報を生成するステップと、前記遮断バー制御情報を前記駐車場管理サーバに送信するステップと、をさらに含む、請求項５に記載の駐車場管理方法。
【請求項７】
ビデオチャンネルを介してディスプレイされるビデオ信号を選択可能にする複数のカメラ選択アイコンをディスプレイするステップと、
前記カメラ選択アイコンを選択するための入力を受信するステップと、をさらに含み、
前記ビデオ信号のディスプレイステップは、前記入力により選択されたカメラに対応する圧縮されたビデオ信号を設定されたビデオチャンネルを介して受信し、ディスプレイする、請求項５に記載の駐車場管理方法。
【請求項８】
駐車場を遠隔で管理するための携帯端末であって、
ユーザの入力を受信するための入力部と、
接続要求を駐車場管理サーバから受信し、接続要求に対する応答を前記駐車場管理サーバに送信する通信部と、
前記通信部による接続要求に応じて対応するアプリプログラムを自動的に駆動し、応答を生成して前記通信部に伝達し、前記駐車場管理サーバの調整下に接続要求を誘導した駐車場のローカル駐車管理端末とリアルタイムで圧縮されたビデオ信号を送信することができるビデオチャンネルを設定し、設定されたビデオチャンネルからのビデオ信号をデコードする制御部と、
設定されたビデオチャンネルからデコードされたビデオ信号を出力するディスプレイ部と、を含み、
前記接続要求は、遠隔呼び出しした車両ユーザの車両ナンバー、割引項目及び精算予定の駐車料金を含み、
前記制御部は、前記車両ナンバー、割引項目及び駐車料金と割引適用のためのアイコンをディスプレイ部を介して出力し、割引適用のための前記アイコンに対する選択の入力を前記入力部を介して受信し、前記割引項目に対する適用要求を前記駐車場管理サーバに前記通信部を介して送信する、携帯端末。
【請求項９】
前記制御部は、前記駐車場管理サーバから精算完了を示す情報を前記通信部を介して受信し、前記精算完了情報の受信の後に、ディスプレイされている開閉アイコンの選択を前記入力部を介して受信して遮断バーを開く遮断バー制御情報を生成し、前記遮断バー制御情報を前記駐車場管理サーバに前記通信部を介して送信する、請求項８に記載の携帯端末。
【請求項１０】
請求項８に記載の駐車場を遠隔で管理するための携帯端末を含む、駐車場管理システム。
【請求項１１】
複数の駐車場を管理する駐車場管理サーバをさらに含み、
前記駐車場管理サーバは、ローカル駐車管理端末から受信した情報から対応する前記携帯端末を識別し、識別された携帯端末に前記情報に基づいたメッセージを送信する、請求項１０に記載の駐車場管理システム。
【発明の詳細な説明】
【技術分野】
【０００１】
本発明は、駐車場管理方法、携帯端末及び駐車場管理システムに関し、より詳しくは、携帯電話で駐車場の各種管理を可能にし、遠隔で駐車場の出入り制御及び料金精算を可能にする、駐車場管理方法、携帯端末及び駐車場管理システムに関する。
【背景技術】
【０００２】
一般に、都心はもちろん都心の外郭にも多くの駐車場が設置されている。駐車場は、出入りゲートを有し、出入りゲートを通って入庫する車両に駐車スペースを提供する。駐車場は、出入りゲートに駐車精算員を配置させ、駐車精算員は、入庫時刻及び出庫時間に基づいて駐車料金を算出し、その駐車料金を徴収する。このように、駐車場は、基本的に駐車精算員を配置させ、駐車精算員による処理で駐車料金を受領する。
【０００３】
スムーズな駐車場内の入庫及び駐車場からの出庫のために、特定の駐車場は、ＬＰＲ（Ｌｉｃｅｎｓｅ Ｐｌａｔｅ Ｒｅｃｏｇｎｉｔｉｏｎ）システムを導入している。ＬＰＲシステムは、入口ゲートのカメラを介して車両ナンバーを自動的に認識し、又出口ゲートのカメラを介して車両ナンバーを認識する。
【０００４】
ＬＰＲシステムでは、入口及び出口ゲートで自動認識された車両ナンバーを用いて、当該車両の駐車料金を案内できるように構成され、出口ゲートの精算員を介して駐車料金を支払うことができる。
【０００５】
このように、近年適用されているＬＰＲ駐車システムにおいても出入りする車両の車両ナンバーを自動的に認識することができるだけで、駐車料金精算に関しては人によって手動で行われている実情にある。
【０００６】
既存の駐車料金精算システムは、色々な不便な点を有している。例えば、既存の駐車料金精算システムは、必ず精算員の配置を要求することにより、必要以上の費用がかかってしまう。
【０００７】
なお、駐車料金精算システムの自動化を考慮することができる。例えば、無人精算機による自動化と精算が完了した駐車チケットを出口ゲート機器が認識し、認識により出口を開くことができる。無人精算機による駐車料金の徴収は、ある程度便利な点を提供するものの、様々な特殊な状況に対処することが不可能であるので、精算員の配置も必要である。例えば、現金決済や割引決済などが困難であるためである。
【０００８】
したがって、駐車料金の精算において、精算員がいなくても、遠隔で制御することができ、自動化を可能にする駐車場管理方法、携帯端末及び駐車場管理システムが必要である。
【０００９】
さらに、携帯電話を活用して遠隔で駐車場を管理することができれば、駐車場の利用者にとってもとても楽になるものと思われる。
【発明の概要】
【発明が解決しようとする課題】
【００１０】
本発明は、上述した問題点を解決するためになされたものであり、携帯電話と組み合わせて携帯電話による制御で駐車場の出入り制御と駐車料金の精算を可能にする、駐車場管理方法、携帯端末及び駐車場管理システムを提供することにその目的がある。
【００１１】
また、本発明は、携帯電話で駐車場の各種管理を可能にする、駐車場管理方法、携帯端末及び駐車場管理システムを提供することにその目的がある。
【００１２】
また、本発明は、遠隔で駐車場の利用者と会話が可能であり、駐車場の利用者のゲートを遠隔で開閉させることができるようにする、駐車場管理方法、携帯端末及び駐車場管理システムを提供することにその目的がある。
【００１３】
本発明で解決しようとする技術的課題は、以上で言及した技術的課題に限定されず、言及していない又他の技術的課題は、以下の記載から本発明が属する技術分野における通常の知識を有する者が明確に理解することができるであろう。
【課題を解決するための手段】
【００１４】
上記のような目的を達成するための駐車場管理方法は、遠隔呼び出し要求を受信するステップと、遠隔呼び出し要求をした駐車場の管理者が用いる管理者携帯端末を識別するステップと、識別された管理者携帯端末に遠隔呼び出し要求をした機器との接続要求を送信するステップと、機器との接続要求に対する応答の受信に応じて管理者携帯端末と遠隔呼び出し要求をした機器との間にビデオチャンネルを設定するステップと、を含み、管理者携帯端末は、ビデオチャンネルを介して機器に備えられたカメラのビデオ信号を受信する。
【００１５】
なお、上記のような目的を達成するための駐車場管理方法は、接続要求を受信するステップと、接続要求に対応するアプリプログラムを駆動し、接続要求に対する応答を送信するステップと、接続要求を誘導した駐車場の機器と設定されたビデオチャンネルを介してビデオ信号を受信し、受信したビデオ信号をディスプレイするステップと、を含む。
【００１６】
なお、上記のような目的を達成するために、駐車場を遠隔で管理する携帯端末は、接続要求を受信し、接続要求に対する応答を送信する通信部、通信部による接続要求に応じて対応するアプリプログラムを駆動し、応答を生成して通信部に伝達し、接続要求を誘導した駐車場の機器とビデオチャンネルを設定し、設定されたビデオチャンネルからのビデオ信号をデコードする制御部、及びデコードされたビデオ信号を出力するディスプレイ部を含む。
【００１７】
なお、上記のような目的を達成するための駐車場管理システムは、駐車場を遠隔で管理するための携帯端末を含み、携帯端末は、接続要求を受信し、接続要求に対する応答を送信する通信部、通信部による接続要求に応じて対応するアプリプログラムを駆動し、応答を生成して通信部に伝達し、接続要求を誘導した駐車場の機器とビデオチャンネルを設定し、設定されたビデオチャンネルからのビデオ信号をデコードする制御部、及びデコードされたビデオ信号を出力するディスプレイ部を含む。
【発明の効果】
【００１８】
上記のような本発明に係る駐車場管理方法、携帯端末及び駐車場管理システムは、携帯電話と組み合わせて携帯電話による制御で駐車場の出入り制御と駐車料金の精算を可能にする効果がある。
【００１９】
なお、上記のような本発明に係る駐車場管理方法、携帯端末及び駐車場管理システムは、携帯電話で駐車場の各種管理を可能にする効果がある。
【００２０】
なお、上記のような本発明に係る駐車場管理方法、携帯端末及び駐車場管理システムは、遠隔で駐車場の利用者と会話が可能であり、駐車場の利用者のゲートを遠隔で開閉させることができるようにする効果がある。
【００２１】
本発明により得られる効果は、以上で言及した効果に限定されず、言及していない又他の効果は、以下の記載から本発明が属する技術分野における通常の知識を有する者が明確に理解することができるであろう。
【図面の簡単な説明】
【００２２】
【図１】駐車場管理システムの例示的なシステムのブロック図を示す図である。
【図２】駐車場管理サーバの例示的なブロック図を示す図である。
【図３】管理者携帯端末の例示的なブロック図を示す図である。
【図４】管理者携帯端末を活用して駐車場の遠隔制御が可能な例示的な制御の流れを示す図である。
【図５】駐車場管理サーバと連動して管理者携帯端末で行われる例示的な駐車管理制御の流れを示す図である。
【発明を実施するための形態】
【００２３】
以下、添付の図面を参照して本発明の望ましい実施例を詳しく説明するが、本発明はこれらの実施例により限定されるものではない。
【００２４】
図１は、駐車場管理システムの例示的なシステムのブロック図を示す図である。
【００２５】
図１によると、駐車場管理システムは、駐車場管理サーバ１００、１つ以上のユーザ装置２００、１つ以上の管理者携帯端末３００、１つ以上のローカル駐車システム４００、及びＰＧサーバ５００を含む。本駐車場管理システムは、その他の装置をさらに含むこともできる。
【００２６】
図１を参照して、駐車場管理システムの各ブロックを説明すると、駐車場管理サーバ１００は、本システムに登録された駐車場を管理するためのサーバである。駐車場管理サーバ１００は、複数のローカル駐車システム４００や、複数のユーザ装置２００などに接続することができ、ローカル駐車システム４００（ローカル駐車管理端末４１０）やユーザ装置２００からの要求を処理し、その処理結果を伝達することができるように構成される。駐車場管理サーバ１００は、例えば、ＨＴＴＰ（Ｈｙｐｅｒ Ｔｅｘｔ Ｔｒａｎｓｆｅｒ Ｐｒｏｔｏｃｏｌ）サーバとして機能して、各種ウェブページをローカル駐車システム４００やユーザ装置２００に提供し、ウェブページを介してデータを受信することができる。
【００２７】
駐車場管理サーバ１００は、ユーザ装置２００とのデータ通信を介して自動駐車料金の決済及び自動駐車料金の精算が可能なようにする。また、駐車場管理サーバ１００は、自動駐車料金の精算が不可能な場合に、管理者携帯端末３００とローカル駐車システム４００を連動して駐車料金の精算が可能なように構成される。
【００２８】
駐車場管理サーバ１００は、少なくともローカル駐車管理端末４１０から受信した情報に基づいて当該駐車システム４００を管理する管理者携帯端末３００を識別し、受信した情報に基づいたメッセージを識別された管理者携帯端末３００に送信するように構成される。
【００２９】
駐車場管理サーバ１００については、図２の以下で詳しく説明する。
【００３０】
ユーザ装置２００は、ユーザが利用可能な装置である。ユーザ装置２００は、携帯型又は据置型であり得る。ユーザ装置２００は、例えば、携帯電話又はパーソナルＰＣである。携帯電話は、例えば、スマートフォンやタブレットＰＣなどである。このようなユーザ装置２００は、インターネットを介して駐車場管理サーバ１００に接続可能であり、駐車場管理サーバ１００とネットワークを介して駐車場への入庫、駐車場からの出庫、及び決済に関する各種のメッセージを送受信することができる。
【００３１】
ユーザ装置２００は、一般的に、車両の利用者が所持している装置であって、望ましくは、携帯電話である。携帯電話は、移動通信事業者によって付与された携帯電話番号で移動通信網やインターネット網を介して接続することができる。車両の利用者が所持する携帯電話は、入庫している駐車場を管理する駐車場管理サーバ１００から入庫案内や出庫案内を示すメッセージを受信し、受信したメッセージを携帯電話のディスプレイモジュール（例えば、ＬＣＤ、ＬＥＤモジュール）にディスプレイする。
【００３２】
１つの駐車場に設置されるローカル駐車システム４００は、複数の機器で構成される。ローカル駐車システム４００は、入口ゲート機器４３０、出口ゲート機器４５０、及びローカル駐車管理端末４１０を含み、精算機４７０及び１つ以上のカメラ４９０をさらに含むことができる。各機器は、ローカルネットワークを介して互いに接続され、データや信号を送受信することができる。
【００３３】
入口ゲート機器４３０は、駐車場の入口に設置される機器である。入口ゲート機器４３０は、カメラモジュール、制御モジュール、通信モジュール、及び入／出力モジュールを含む。カメラモジュールは、入庫する車両の画像をキャプチャし、制御モジュールは、キャプチャした車両の画像から車両ナンバーを抽出する。車両ナンバーの抽出は、ＯＣＲ（Ｏｐｔｉｃａｌ ｃｈａｒａｃｔｅｒ ｒｅａｄｅｒ）プログラムを用いて行うことができる。入口ゲート機器４３０は、抽出された車両ナンバー、入庫時刻、及び車両の画像をローカル駐車管理端末４１０にローカルネットワークを介して送信する。
【００３４】
入口ゲート機器４３０は、入／出力モジュールを備えているが、入／出力モジュールは、管理者の呼び出しのための入力ボタンやタッチボタンなどを備え、管理者との会話のためのスピーカー及びマイクなどを備える。このような入／出力モジュールを介して遠隔呼び出しが可能であり、遠隔の管理者との会話や遠隔の管理者からの制御が可能である。管理者は、管理者携帯端末３００を介して当該入口ゲート機器４３０のゲートを開くことが可能である。
【００３５】
出口ゲート機器４５０は、駐車場の出口に設置される機器である。出口ゲート機器４５０は、カメラモジュール、制御モジュール、通信モジュール、入／出力モジュール、及び遮断バーを備えている。出口ゲート機器４５０の制御モジュールは、カメラモジュールを介して車両ナンバーを抽出し、車両ナンバーを車両の画像及び出庫時刻と共にローカル駐車管理端末４１０に送信し、ローカル駐車管理端末から制御信号を受信して、その制御信号に応じて遮断バーを開いたり、入／出力モジュールに当該信号や信号に対応するデータを出力する。
【００３６】
例えば、出口ゲート機器４５０は、駐車料金の自動精算完了による制御信号をローカル駐車管理端末４１０から受信し、遮断バーを開くことができる。又は、出口ゲート機器４５０は、駐車料金の精算が行われないことを示す制御信号をローカル駐車管理端末４１０から受信し、入／出力モジュールを介してこれを通知することができる。
【００３７】
出口ゲート機器４５０は、入／出力モジュールを備えているが、入／出力モジュールは、管理者の呼び出しのための入力ボタンやタッチボタンなどを備え、管理者との会話のためのスピーカー及びマイクなどを備える。入／出力モジュールを介して遠隔呼び出しが可能であり、遠隔の管理者との会話や遠隔の管理者からの制御が可能である。管理者は、管理者携帯端末３００を介して当該出口ゲート機器４５０のゲート（遮断バー）を開くことが可能である。
【００３８】
ローカル駐車管理端末４１０は、駐車場内の入庫、出庫に関連する各種データを格納し、出庫による駐車料金を算出する。ローカル駐車管理端末４１０は、駐車場管理サーバ１００と連動して予め駐車券（駐車商品）を購入した会員を識別することができる。例えば、ローカル駐車管理端末４１０は、駐車場管理サーバ１００に当該駐車場で提供する駐車商品（例えば、１日券／１週間券／１ケ月券など）を提供し、当該駐車商品を利用するユーザ（会員）識別子を駐車商品の識別子と共に受信し、予め格納することができる。
【００３９】
ローカル駐車管理端末４１０の各種機能を実行するために、ローカル駐車管理端末４１０は、プロセッサ、記憶媒体及び通信モジュールを少なくとも含む。プロセッサは、記憶媒体（例えば、ハードディスク）に格納されているプログラムをロードして当該駐車場を管理することができる。通信モジュールは、インターネットやローカルネットワークに接続するためのチップセットを備えて、入口４３０及び出口ゲート機器４５０とローカルネットワークを介して各種データを送受信し、駐車場管理サーバ１００と各種データをインターネットなどを介して送受信する。
【００４０】
ローカル駐車管理端末４１０は、各種機器から呼び出し要求を表す信号を受信し、遠隔呼び出し要求を生成して駐車場管理サーバ１００や管理者携帯端末３００に送信することが可能である。遠隔呼び出し要求は、各機器の入／出力モジュールなどによる入力の受信によりローカル駐車管理端末４１０が生成され、ローカル駐車管理端末４１０がネットワークを介して管理者携帯端末３００に送信する。遠隔呼び出し要求は、管理者携帯端末３００に直接伝達されるか、駐車場管理サーバ１００を経由して伝達される。
【００４１】
ローカル駐車管理端末４１０は、また、管理者携帯端末３００と連動してビデオチャンネルを生成することができる。生成されたビデオチャンネルは、駐車場管理サーバ１００の調整下に生成される。当該ビデオチャンネルには、複数のカメラの映像の中から選択されたビデオ信号が管理者携帯端末３００に送信される。このために、ローカル駐車管理端末４１０は、管理者携帯端末３００からビデオチャンネル選択信号を受信し、複数のカメラ４９０やカメラモジュールのビデオ信号の中から選択されたビデオ信号をビデオチャンネルに送出するように構成される。ビデオチャンネルは、オーディオチャンネルをさらに含むことができる。したがって、特定のカメラ（モジュール）と接続されたオーディオ信号は、ビデオ信号と共に送出することができる。
【００４２】
精算機４７０は、駐車料金を精算するための機器である。精算機４７０は、制御モジュール、決済手段認識モジュール、通信モジュール、カメラモジュール、及び入／出力モジュールを備える。精算機４７０は、駐車場を利用したユーザの入力を入／出力モジュールを介して受信する。例えば、精算機４７０は、ユーザが利用している車両ナンバーを受信し、割引クーポンなどを受信することができる。精算機４７０は、自動精算が不可能な場合（例えば、紙割引クーポン、非会員など）に入／出力モジュールを介して管理者を呼び出すことができる。
【００４３】
精算機４７０は、入／出力モジュールを備えているが、入／出力モジュールは、管理者の呼び出しのための入力ボタンやタッチボタンなどを備え、管理者との会話のためのスピーカー及びマイクなどを備える。入／出力モジュールを介して遠隔呼び出しが可能であり、遠隔の管理者との会話や遠隔の管理者からの制御や駐車料金の割引などが可能である。精算機４７０は、ローカルネットワークを介してローカル駐車管理端末４１０とデータを送受信したり、専用のネットワークを介してデータを送受信することができる。
【００４４】
駐車場には、複数のカメラ４９０を備えることができる。カメラ４９０は、駐車場内の一定領域の映像をキャプチャする。キャプチャされた映像は、ローカルネットワークや専用のネットワーク（ライン）などを介してローカル駐車管理端末４１０に送信することができる。以下では、カメラとカメラモジュールという用語を混用して使用する。カメラモジュールは、特定の機器に内蔵されたものであることを明確にするために用いられる。
【００４５】
ローカル駐車システム４００で行われる具体的な処理過程は、図４などを参照して説明する。
【００４６】
管理者携帯端末３００は、駐車場の管理者が携帯している端末である。管理者携帯端末３００は、駐車場のローカルネットワークに接続する必要もなく、遠隔で駐車場を管理することができる端末である。管理者携帯端末３００は、例えば、携帯電話である。携帯電話は、例えば、スマートフォンである。
【００４７】
管理者携帯端末３００は、遠隔で駐車場を管理するためのアプリプログラムを備え、アプリプログラムの駆動で当該駐車場を管理することができる。また、管理者携帯端末３００は、駐車場の各種機器から入力された遠隔呼び出し要求による接続要求を受信し、当該機器のビデオ信号を受信し、ディスプレイすることができるように構成される。
【００４８】
又、管理者携帯端末３００は、駐車場管理サーバ１００に接続されて各種情報を確認できるように構成される。例えば、管理者携帯端末３００は、駐車場入出庫履歴、駐車商品購入履歴、現在の駐車状況情報などを受信し、当該情報をディスプレイすることができる。また、管理者携帯端末３００は、車両ナンバーを検索することが可能であり、検出された車両ナンバーの駐車料金を算出し、精算を要求することができる。このように、管理者携帯端末３００は、駐車場管理サーバ１００やローカル駐車システム４００に接続されて各種制御を実行することができる。
【００４９】
ＰＧサーバ５００は、決済事業者（Ｐａｙｍｅｎｔ Ｇａｔｅｗａｙ）が運営するサーバである。ＰＧサーバ５００は、クレジットカードの認証、承認、及び決済に関連した各種機能を提供する。ＰＧサーバ５００を介して駐車商品の事前購入が可能であり、リアルタイムで駐車料金の処理が可能であり、駐車料金の後払い処理が可能である。
【００５０】
ネットワークは、データを送受信する。ネットワークは、各種機器に接続されて機器間でデータパケットを送受信する。ネットワークは、近距離及びブロードバンドネットワークを含むことができる。ネットワークは、移動通信網を含み、インターネット網も含む。移動通信網は、インターネット網の一部構成として認知することもできる。
【００５１】
図２は、駐車場管理サーバ１００の例示的なブロック図を示す図である。
【００５２】
図２によると、駐車場管理サーバ１００は、通信部１０１、格納部１０３、接続部１０７及び制御部１０５を含む。図２のブロック図は、望ましくは、機能ブロック図を示し、この機能ブロック図の実現のためのハードウェアを駐車場管理サーバ１００が備える。
【００５３】
例えば、駐車場管理サーバ１００は、有線又は無線ＬＡＮに接続するためのＬＡＮカード、ＬＡＮチップセット、プログラムと各種データを格納する１つ以上のハードディスク、プログラムを実行する１つ以上のプロセッサ、プロセッサ、ハードディスク、ＬＡＮカード間に各種デジタルデータを送受信するためのパラレル／シリアルバスを備える。
【００５４】
又は、駐車場管理サーバ１００は、１つ以上のコンピュータ、ワークステーション、データ格納サーバなどの組み合わせで構成され、特定の１つ又は複数のデバイスが通信、格納、及び／又は制御などの機能を実行するように構成される。このように、駐車場管理サーバ１００は、様々な形態のハードウェアの構成を有することができる。
【００５５】
駐車場管理サーバ１００の各機能ブロックを簡単に説明すると、通信部１０１は、ネットワークに接続されてネットワークを介して各種データを送受信する。具体的に、通信部１０１は、ネットワークを介して各種データを受信し、各種データの処理に応じた応答データを送信する。
【００５６】
格納部１０３は各種データを格納する。格納部１０３は、本駐車場管理システムの利用のための各種データを格納し、望ましくは、データベース形態で格納する。例えば、格納部１０３は、ユーザ（会員、以下では、「ユーザ」と「会員」を混用して使用する。）ＤＢ、駐車場ＤＢを少なくとも含む。
【００５７】
ユーザＤＢは、本駐車場管理システムに会員として登録されたユーザを管理するためのＤＢである。ユーザＤＢは、複数のエントリで構成され、各エントリは、各ユーザに割り当てられる。エントリは、複数のフィールドで構成され、各フィールドは、予め定義されている。１つのエントリは、構成フィールドのタイプなどに応じて様々な形態で構成することができる。
【００５８】
例えば、ユーザエントリは、ユーザ（会員）の名前、識別子（ＩＤ）、パスワード、電子メールアドレスなどを含み、携帯電話識別子、車両ナンバー（さらに車両モデル名）などをさらに含む。携帯電話識別子は、ネットワークを介して携帯電話に接続したり、データを伝達するときに使用する識別子であって、例えば、携帯電話の電話番号やプッシュメッセージの伝達に使用する携帯電話の識別子である。車両ナンバーは、当該ユーザが利用している車両の番号である。
【００５９】
ユーザエントリは、クレジットカード情報やサイバーマネーをさらに有することができる。クレジットカード情報は、例えば、クレジットカード名、番号、有効期限などを含み、その他、クレジットカード会社名、カードの種類、パスワードなどをさらに含むことができる。クレジットカード情報は、クレジットカードを用いた自動決済に利用可能である。
【００６０】
駐車場管理サーバ１００は、ユーザ（会員）の登録時にクレジットカード情報をユーザから受信し、ＰＧサーバ５００を介して承認を受け承認番号を受信することができる。特定のクレジットカード情報に対応する承認番号は、後のクレジットカードの決済に利用可能である。サイバーマネーは、本システムで提供するオンラインマネーである。サイバーマネーは、クレジットカードのポイントで充填可能であるか、クレジットカードで決済が可能である。
【００６１】
又、ユーザエントリも利用可能であり、事前購入した駐車商品情報を含む。駐車商品情報は、駐車場識別子、駐車場内での駐車商品識別子を含み、その他、期間や購入価格などをさらに含むことができる。
【００６２】
ユーザエントリは、駐車場の入出庫情報をさらに含むことができる。駐車場の入出庫情報は、駐車場の識別子、入庫時刻、出庫時刻、駐車料金、及び割引内容などを含む。割引内容は、当該駐車場の利用時に適用した割引内容を含む。
【００６３】
ユーザエントリから分かるように、ユーザ（会員）は、駐車商品を事前購入することもでき、駐車場の入庫後にクレジットカードを用いて後払いすることができる。また、ユーザは、ポイントを活用して駐車料金を精算することが可能である。
【００６４】
駐車場ＤＢは、本駐車場管理システムに登録されている駐車場を管理するＤＢである。駐車場ＤＢは、複数のエントリで構成される。それぞれの駐車場エントリは、１つの駐車場に対応し、複数のフィールドで構成される。１つのエントリは、構成フィールドのタイプなどに応じて様々な形態で構成することができる。
【００６５】
１つの駐車場エントリは、１つの駐車場に対応するが、駐車場名、駐車場識別子、パスワード、住所（位置）、総駐車台数、駐車可能な台数などを含む。また、駐車場エントリは、当該駐車場で提供する駐車商品に関する情報を格納している。例えば、駐車場エントリは、当該駐車場で提供する１日券、１週間券、１ケ月券などの駐車商品名、各駐車商品名を区別するための駐車商品識別子（この識別子が駐車商品名であり得る。）、駐車商品価格などを格納し、特定のユーザに提供することができる。駐車場エントリは、管理者情報も含む。管理者情報は、管理者の名前及び管理者の携帯端末識別子を含む。携帯端末識別子は、当該端末に接続可能にし、例えば、携帯電話電話番号や携帯電話のアドレス（例えば、インターネットアドレスやＭＡＣアドレスなど）である。
【００６６】
駐車場エントリは、ユーザ利用リストをさらに含む。ユーザ利用リストは、ユーザが本駐車場を利用した履歴を格納しており、ユーザ利用リストの各エントリは、ユーザ識別子、車両ナンバー、入庫時刻、出庫時刻、精算された駐車料金などを格納する。又、駐車場エントリは、本駐車場で提供する駐車商品を購入したユーザがわかる駐車商品利用リストをさらに含む。駐車商品利用リストの各駐車商品エントリは、ユーザ識別子、購入した駐車商品名及び／又は駐車商品識別子を少なくとも含む。
【００６７】
ユーザ利用リストは入庫利用リストを含む。入庫利用リストは、ユーザ識別子、車両ナンバー、及び入庫時刻を含むが、まだ出庫していない車両やユーザを示すためのリストである。入庫利用リストは、現在、入庫されたが、まだ出庫が行われていない車両やユーザを示す。
【００６８】
ユーザ利用リストと駐車商品利用リストは、検索が可能である。例えば、入庫されたが、まだ出庫されていない車両の台数が分かり、特定の時間範囲の間に入庫された車両が分かり、特定の車両がいつ入出庫されたかが分かる。
【００６９】
駐車場エントリは、駐車場の設定情報をさらに含む。例えば、駐車場エントリは、当該駐車場で駐車可能な車両台数などの情報を設定情報として格納することが可能であり、後に入庫利用リストと連動して満車かどうか、又は利用可能な車両台数などが分かる。
【００７０】
格納部１０３に格納されたデータベースは、制御部１０５によってアクセスされ修正することができる。
【００７１】
接続部１０７は、格納部１０３、通信部１０１及び制御部１０５間のデータを送受信する。接続部１０７は、パラレルバスやシリアルバスで構成されたり、ローカルネットワークで構成することができる。接続部１０７の構成は、駐車場管理サーバ１００のハードウェアの構成例によって変わり得る。
【００７２】
制御部１０５は、駐車場管理サーバ１００のブロックを制御する。制御部１０５は、通信部１０１によって各種の要求やデータを受信し、データベースを活用して当該要求やデータを処理し、その処理結果を通信部１０１に伝達して要求又はデータを伝達した装置に送信する。
【００７３】
制御部１０５で行われるいくつかの処理の流れなどを簡単に述べると、通信部１０１は、車両ナンバーを含む入庫情報をネットワークを介してローカル駐車管理端末４１０から受信し、受信した入庫情報を制御部１０５に伝達する。制御部１０５は、入庫情報の車両ナンバーに対応する車両の特定の駐車場への入庫を案内する入庫案内メッセージを生成する。車両ナンバーなどを用いてデータベース（ユーザＤＢ）でこの車両ナンバーにマッピングされたユーザと携帯電話を識別し、識別された携帯電話（例えば、携帯電話識別子を用いて）に生成された入庫案内メッセージを制御部１０５が送信する。入庫案内メッセージを携帯電話に送信するために、制御部１０５は、入庫案内メッセージを通信部１０１に伝達し、通信部１０１は、携帯電話の識別子を用いて当該携帯電話にこのメッセージを送信する。入庫案内メッセージは、例えば、インターネットを介してサービスされるプッシュ（Ｐｕｓｈ）メッセージである。これにより、入庫案内メッセージは、プッシュサーバを介して当該携帯電話に送信することもできる。
【００７４】
入庫案内メッセージは、例えば、車両ナンバーに対応する車両が入庫する駐車場情報、この駐車場と提携した提携店舗の案内情報を含み、当該情報は、送信された携帯電話によりディスプレイされる。
【００７５】
制御部１０５は、駐車場からの出庫のための出庫情報をローカル駐車管理端末４１０から受信することができる。出庫情報は、車両ナンバー及び駐車料金精算に用いられる精算情報を含む。制御部１０５は、精算情報を用いて車両ナンバーに対応する車両の駐車料金を精算する。制御部１０５は、駐車料金の精算により遮断バー制御情報を生成し、通信部１０１に伝達して遮断バー制御情報をローカル駐車システム４００（ローカル駐車管理端末４１０）に送信する。
【００７６】
なお、制御部１０５は、ローカル駐車システム４００から遠隔呼び出し要求を受信することができる。遠隔呼び出し要求から制御部１０５は管理者携帯端末３００を識別する。例えば、制御部１０５は、遠隔呼び出し要求をしたローカル駐車管理端末４１０の駐車場識別子で駐車場エントリを格納部１０３から抽出する。抽出された駐車場エントリの管理者情報から携帯端末識別子を抽出する。その後、制御部１０５は、遠隔呼び出し要求をしたローカル駐車システム４００の機器との接続要求を管理者携帯端末３００に送信する。次に、制御部１０５は、管理者携帯端末３００と機器とのビデオチャンネルの設定を調整することができる。
【００７７】
このように、制御部１０５は、通信部１０１を介して各種データを受信して処理し、その処理結果を送信する。制御部１０５で行われる具体的な処理の流れは、図４などを参照してさらに説明する。
【００７８】
図３は、管理者携帯端末３００の例示的なブロック図を示す図である。
【００７９】
図３によると、管理者携帯端末３００は、入力部３０１、通信部３０３、格納部３０５、ディスプレイ部３０７、制御部３０９及び接続部３１１を含む。図３のブロック図は、望ましくは、機能ブロック図を示し、この機能ブロック図の実現のためのハードウェアを管理者携帯端末３００が備える。管理者携帯端末３００は、駐車場に備える必要なく、遠隔で駐車場を管理することができるようにする。
【００８０】
各ブロックについて簡単に説明すると、入力部３０１は、管理者（ユーザ）の入力を受信する。入力部３０１は、例えば、複数のボタンやタッチパネルを備えてユーザの入力を示す信号を受信する。受信された信号は制御部３０９に伝達することができる。ユーザの入力は、ディスプレイ部３０７にディスプレイされたアイコンの選択を示す入力信号であり得る。
【００８１】
通信部３０３は、ネットワークに接続されて各種データを受信し送信する。通信部３０３は、移動通信網やインターネットに接続するための無線通信のチップセットを備え、無線でデータを受信し送信するように構成される。例えば、通信部３０３は、接続要求を駐車場管理サーバ１００から受信し、接続要求に対する応答を駐車場管理サーバ１００に送信する。また、通信部３０３は、設定されたビデオチャンネルを介して駐車場管理サーバ１００から直接、あるいはローカル駐車システム４００（ローカル駐車管理端末４１０）からビデオ信号を受信し、受信したビデオ信号を制御部３０９に伝達する。
【００８２】
格納部３０５は、各種データやプログラムを格納する。格納部３０５は、管理者携帯端末３００のイベントを管理するための制御プログラムと駐車場管理サーバ１００に接続して、特定の駐車場を管理するための駐車場管理プログラムを少なくとも格納している。格納部３０５は、揮発性メモリ及び／又は不揮発性メモリを含み、さらに、ハードディスクなどをさらに含むことができる。
【００８３】
制御プログラムは、通信部３０３を介してイベント（データ）を受信し、当該イベントにより特定の処理を実行できるように構成される。例えば、制御プログラムは、通信部３０３からの接続要求のイベントを受信し、当該接続要求に応じて駐車場管理プログラムを駆動することができる。駐車場管理プログラムの駆動は、自動的に行われたり、ユーザの入力（確認）により行われる。制御プログラムは、システムプログラムであり、又はカーネルプログラムである。
【００８４】
駐車場管理プログラムは、応用プログラムであり、望ましくは、スマートフォンで駆動されるアプリ（Ａｐｐ）プログラムである。
【００８５】
ディスプレイ部３０７は、ＬＣＤ、ＬＥＤモジュールを備えて単一の画像や連続的なビデオ画像イメージをディスプレイする。例えば、ディスプレイ部３０７は、通信部３０３を介して受信され、デコードされたビデオ信号を出力して当該ビデオ動画像をディスプレイする。
【００８６】
制御部３０９は、管理者携帯端末３００のブロックを制御する。制御部３０９は、ＡＰ（Ａｐｐｌｉｃａｔｉｏｎ Ｐｒｏｃｅｓｓｏｒ）、プロセッサ、ＣＰＵ、ＭＰＵなどで知られているプロセッシングユニットを備えている。プロセッシングユニットは、格納部３０５に格納された各種プログラムをロードし、ロードされたプログラムにより他のブロックを制御する。
【００８７】
例えば、制御部３０９は、通信部３０３を介して接続要求を受信し、接続要求のイベントを認識した制御プログラムが駐車場管理プログラムであるアプリプログラムを駆動する。駆動された駐車場管理プログラムは、接続要求を誘導した駐車場の機器とビデオチャンネルを設定し、設定されたビデオチャンネルからビデオ信号を通信部３０３を介して受信する。駐車場管理プログラムは、受信したビデオ信号をデコードし、ディスプレイ部３０７の一定の領域にデコードされたビデオ信号を出力する。
【００８８】
接続要求には、遠隔で呼び出した車両ユーザの車両ナンバー、割引項目及び精算予定の駐車料金を含む。それぞれの情報は、制御部３０９によってディスプレイ部３０７にディスプレイされる。また、制御部３０９は、割引項目の適用のためのアイコンをディスプレイ部３０７にディスプレイする。管理者は、デコードされたビデオ信号の確認などにより紙割引券などを確認することが可能であり、その後、当該アイコンの選択を示す入力を入力部３０１を介して制御部３０９に伝達することができる。割引の適用のためのアイコンの選択を示す選択入力を受信した制御部３０９は、割引項目に対する適用要求を通信部３０３を介して駐車場管理サーバ１００に送信する。
【００８９】
駐車場管理サーバ１００は、適用要求に応じて割引された駐車料金を管理者携帯端末３００及びローカル駐車システム４００（ローカル駐車管理端末４１０）に伝達することができる。これにより、車両のユーザは、登録された、又は無人精算機を介して提供するクレジットカードにより割引された駐車料金の決済が可能である。
【００９０】
その後、駐車場管理サーバ１００や管理者携帯端末３００は、当該決済を確認し、ローカル駐車システム４００に遮断バーを開くことができる遮断バー制御情報を伝達し、その後、ローカル駐車システム４００の出口ゲート機器４５０は、当該制御情報により遮断バーを開くことができる。
【００９１】
制御部３０９で駆動される駐車場管理プログラムは、各種アイコンで構成され、アイコンの選択によりサブアイコンやサブメニューが提示される形態で構成される。駐車場管理プログラムは、駐車場管理サーバ１００に接続し、環境を設定することができるアイコン（メニュー）を備え、管理中の駐車場の駐車状況情報をディスプレイする。駐車状況情報は、例えば、現在、駐車場に駐車されている車両台数を示したり、駐車可能な総駐車台数をさらに示す。
【００９２】
駐車場管理プログラムは、複数のメニューアイコンやステータスバーなどで構成することができる。例えば、販売中の駐車商品を管理するためのアイコン、駐車割引を適用するためのアイコン、現在の駐車状況を把握するためのステータスバー、カメラのビデオ信号をモニターするためのアイコンなどを含み、さらに駐車場環境を設定するためのアイコンなどを含む。それぞれのアイコンは、選択可能である。
【００９３】
ビデオ信号のモニタリングのためのアイコンを管理者が選択すると、サブアイコンがディスプレイされる。サブアイコンは、例えば、特定のカメラ４９０や特定の機器のカメラモジュールを選択するための複数のカメラ選択アイコンを含む。ディスプレイ部３０７のカメラ選択アイコンの下方には、ビデオ信号を出力するためのビデオ領域が存在する。ビデオ領域は、特定のカメラ選択アイコンの選択によって他のビデオ信号を出力する。
【００９４】
ビデオ信号のモニタリングのためのディスプレイ部３０７への出力は、制御部３０９によって制御され、接続要求に応じて他のメニューの選択をしなくてもすぐに出力することが可能である。
【００９５】
駐車場管理プログラムを活用して制御部３０９で行われる代表的な制御の流れは、図４及び図５を参照してさらに説明する。
【００９６】
接続部３１１は、入力部３０１、通信部３０３、格納部３０５、ディスプレイ部３０７及び制御部３０９間のデータを送受信する。接続部３１１は、パラレルバスやシリアルバスで構成されたり、１対１の信号で構成することができる。
【００９７】
図４は、管理者携帯端末３００を活用して駐車場の遠隔制御が可能な例示的な制御の流れを示す図である。図４の流れは、複数の装置間の協力により行われる。ここで、図１〜図３により説明した内容については簡単に述べる。
【００９８】
先ず、駐車場の管理者などは、本駐車管理システムに駐車場会員として登録する。登録により、駐車場管理サーバ１００は、駐車場ＤＢに駐車場エントリを新規生成し、駐車場エントリの各種フィールドに情報を記録する。これにより、駐車場管理サーバ１００は、遠隔で駐車場を管理する管理者携帯端末３００を特定することができ、当該管理者携帯端末３００を特定するための情報は、管理者情報に記録される。
【００９９】
管理者携帯端末３００は、駐車場管理サーバ１００に備えられた駐車場管理プログラムを介してログインが可能である。管理者携帯端末３００は、駐車場管理サーバ１００と連動して駐車環境を設定する（１参照）ことができる。
【０１００】
例えば、管理者は、入力部３０１を介して駐車可能な総駐車台数などを駐車場エントリに登録し、販売可能な駐車商品情報を登録することができる。
【０１０１】
駐車場の運営により、ローカル駐車システム４００は、入庫する車両を認識し、認識された車両の入庫を示す入庫情報を生成して駐車場管理サーバ１００に伝達（２参照）する。入庫情報は、車両ナンバー、入庫時刻、及び入口ゲート機器４３０などでキャプチャした車両の画像などを含む。
【０１０２】
入庫情報の受信により、駐車場管理サーバ１００は、入庫情報を送信した駐車場に対応する駐車場エントリを識別し、当該駐車場エントリの駐車状況情報をアップデート（３参照）する。駐車状況情報は、例えば、駐車可能な台数を示したり、あるいは含む。つまり、初期には駐車可能な台数を総駐車台数に設定した状態で、１つの入庫情報の受信に応じて駐車可能台数を１ずつ減らす。また、駐車場管理サーバ１００は、駐車された車両の出庫を示す出庫情報の受信に応じて駐車可能台数を１ずつ増やす。
【０１０３】
駐車場管理サーバ１００は、アップデートされた駐車状況情報を駐車場エントリの管理者情報により識別される管理者の携帯端末に送信（４参照）する。駐車状況情報を受信した携帯端末は、駆動中の駐車場管理プログラムを介してリアルタイムで現在の駐車状況をディスプレイすることができる。
【０１０４】
一方、駐車場に入庫させた後、出庫をしようとするユーザは、自動的に駐車場から出庫することが可能である。
【０１０５】
自動出庫のために、車両は出口ゲート機器４５０に進入し、出入ゲート機器は出庫しようとする車両ナンバー、出庫時刻及び車両の画像をローカル駐車管理端末４１０に伝達する。ローカル駐車管理端末４１０は、車両ナンバーから入庫情報の生成により既に格納されている入庫時刻を決定し、入庫時刻及び出庫時刻から駐車時間とそれによる駐車料金を計算する。また、ローカル駐車管理端末４１０は、車両ナンバーに対応するユーザが既に駐車商品を購入したユーザであるか否かを決定することもできる。ローカル駐車管理端末４１０は、車両ナンバー、入庫時刻、出庫時刻、駐車時間及び精算予定の駐車料金を含む出庫情報を駐車場管理サーバ１００に送信する。駐車場管理サーバ１００は、受信した出庫情報を格納し、ユーザＤＢのユーザエントリなどを用いて駐車料金を割引し、クレジットカード情報（サイバーマネー）を用して、ＰＧサーバ５００と連動して駐車料金を決済することができる。又は駐車場管理サーバ１００は、ユーザエントリや駐車場ＤＢの駐車商品情報などを用いて駐車料金を決済することもできる。
【０１０６】
駐車場管理サーバ１００は、出庫情報からユーザを識別することができない場合には、ユーザの識別が不可能であるという応答をローカル駐車管理端末４１０に伝達することができる。ローカル駐車管理端末４１０は、ローカルネットワークを介してこの応答に基づいた信号を出口ゲート機器４５０に伝達し、出口ゲート機器４５０は、これを入／出力モジュールを介して出力することができる。
【０１０７】
もし、自動出庫が不可能な場合に、又はユーザが呼び出しを希望する場合に、車両のユーザは、機器に備えられた入／出力モジュールを介して管理者を呼び出すことができる。車両のユーザは、出口ゲート機器４５０や精算機４７０の入／出力モジュールに備えられた呼び出しボタンを押す。当該機器は、入／出力モジュールの呼び出しボタンのプッシュを示す信号（データ）を生成し、これをローカル駐車管理端末４１０に伝達する。
【０１０８】
ローカル駐車管理端末４１０は、受信した信号に応じて遠隔呼び出し要求を生成し、生成された遠隔呼び出し要求を駐車場管理サーバ１００に送信（５参照）する。遠隔呼び出し要求は、例えば、車両ナンバーを含み、さらに機器の種類に応じて割引項目や当該駐車場で計算されて精算予定の駐車料金を含む。
【０１０９】
駐車場管理サーバ１００は、遠隔呼び出し要求を受信（５参照）し、遠隔呼び出し要求から遠隔呼び出し要求をした駐車場の管理者が用いる管理者携帯端末３００を識別（６参照）する。例えば、駐車場管理サーバ１００は、ローカル駐車システム４００との通信チャンネル（例えば、セッションチャンネル）で駐車場識別子を認識することが可能である。認識された駐車場識別子で駐車場エントリを抽出し、駐車場管理サーバ１００は、駐車場エントリの管理者情報を用いて、遠隔呼び出しをした駐車場に対応する管理者携帯端末３００の識別子を抽出することが可能である。
【０１１０】
管理者携帯端末３００の識別により、駐車場管理サーバ１００は、管理者携帯端末３００に接続要求を送信（７参照）する。接続要求は、遠隔呼び出しした車両ユーザの車両ナンバーを含み、その他、ユーザが入力するか、要求した割引項目とローカル駐車管理端末４１０などで計算された駐車料金をさらに含む。
【０１１１】
接続要求は、移動通信網やインターネット網を介して管理者携帯端末３００に送信され、メッセージで送信することができる。このメッセージはイベントとして動作することができる。
【０１１２】
接続要求のメッセージの受信により、管理者携帯端末３００の制御プログラムは、接続要求のメッセージをディスプレイ部３０７にディスプレイし、入力部３０１によるユーザの入力で駐車場管理プログラムを駆動する。又は、制御プログラムは、自動的に駐車場管理プログラムを駆動することができる。
【０１１３】
駐車場管理プログラムの駆動により、管理者携帯端末３００は、駐車場管理サーバ１００に応答を送信する。この応答は、例えば、駐車場管理サーバ１００への接続や連結が行われたことを表すことができる。応答により、駐車場管理サーバ１００は、管理者携帯端末３００と遠隔呼び出し要求をした機器との間にビデオチャンネルを設定（８参照）する。望ましくは、ビデオチャンネルは、要求した機器（出口ゲート機器４５０や精算機４７０など）と管理者携帯端末３００との間に設定される映像チャンネルとしてリアルタイムで圧縮されたビデオ信号を送受信することができる。管理者携帯端末３００は、ビデオチャンネルを介して、要求した機器に備えられたカメラモジュールの圧縮されたビデオ信号をリアルタイムで受信し、これをディスプレイ部３０７を介して出力することができる。
【０１１４】
一方、接続要求は、例えば、駐車料金の精算のための要求であるか、その他の要求（例えば、割引項目の適用要求）のための要求である。これにより、接続要求は、少なくとも車両ナンバーを含み、さらに割引項目（１時間、２時間割引など）や駐車場料金をさらに含む。
【０１１５】
受信した車両ナンバーは、駐車場管理プログラムによってディスプレイされる。ディスプレイされた車両ナンバーは、入力部３０１によるユーザの入力で修正したり、又は変更することが可能である。入力部３０１による入力やディスプレイされた車両ナンバーに対する検索も管理者携帯端末３００によって行うことができる。
管理者携帯端末３００（駐車場管理プログラム）は、ユーザの入力やディスプレイで決定された車両ナンバーを含む車両検索要求を駐車場管理サーバ１００に送信（９参照）する。車両検索要求は駐車料金の精算（計算）のために用いることができる。
【０１１６】
駐車場管理サーバ１００は、車両検索要求を受信（９参照）し、車両検索要求の車両ナンバーでユーザＤＢや駐車場ＤＢを検索して駐車時間及び駐車料金を算出（１０参照）する。駐車時間及び駐車料金の算出は、例えば、駐車場ＤＢやユーザＤＢに格納されている出庫情報の検索で行うことができる。
【０１１７】
算出された駐車時間及び駐車料金を含む車両検索要求に対する応答は、管理者携帯端末３００に送信（１１参照）される。車両検索要求とそれによる処理（９〜１１参照）は、設計変形例によって省略することができる。
【０１１８】
車両検索要求に対する応答を受信した管理者携帯端末３００は、応答をディスプレイ部３０７を介してディスプレイする。また、管理者携帯端末３００は、割引項目の適用のためのイメージアイコンをディスプレイし、このアイコンに対する選択の入力を受信することができる。割引項目の確認は接続されたビデオチャンネルを介して行うことができる。例えば、車両のユーザは、自動認識がされない割引クーポンなどをカメラモジュールに露出させ、管理者は、ビデオチャンネルを介して当該割引クーポンを確認することができる。また、車両のユーザが入力した割引項目を管理者の自分の携帯端末によって確認することができる。
【０１１９】
管理者携帯端末３００の管理者は、割引項目を適用するために、割引項目の適用のためのアイコンを選択し、選択による割引項目の適用要求を駐車場管理サーバ１００に通信部３０３を介して送信（１２参照）する。
【０１２０】
割引項目の適用要求を受信した駐車場管理サーバ１００は、適用要求に応じた割引された駐車料金を決定し、決定された駐車料金をローカル駐車システム４００（ローカル駐車管理端末４１０や精算機４７０など）と連動して精算（１３参照）する。
【０１２１】
駐車料金の精算は、例えば、クレジットカードを用いて行ったり、現金を用いて行うことができる。駐車場管理サーバ１００は、駐車料金の精算完了を確認し、それにより精算の完了を示す情報を管理者携帯端末３００に送信する。
これにより、管理者携帯端末３００は、精算完了がすべて済んだことを確認した後、ディスプレイ部３０７にディスプレイされた開閉アイコンを選択して、遮断バー制御情報を生成し、これを駐車場管理サーバ１００に送信（１４参照）する。遮断バー制御情報は、特定の出口ゲート機器４５０の遮断バーを開閉させるための制御データである。
【０１２２】
駐車場管理サーバ１００は、遮断バー制御情報の受信により、ローカル駐車管理端末４１０に遮断バー制御情報を送信（１５参照）する。ローカル駐車システム４００のローカル駐車管理端末４１０は、遮断バー制御情報の受信により、特定の出口ゲート機器４５０の開閉のための遮断バー制御信号を生成し、遮断バー制御信号をローカルネットワークを介して送信する。遮断バー制御信号を受信した出口ゲート機器４５０は、当該制御信号に応じて遮断バーを開閉する。
【０１２３】
図４のような制御の流れにより、管理者は駐車場に常駐する必要がなく、遠隔でも駐車場の制御が可能であり、駐車料金の精算が可能である。また、管理者は、必要に応じて、カメラなどを用いて割引クーポンなどを確認して駐車料金を割引することができる。
【０１２４】
図５は、駐車場管理サーバ１００と連動して管理者携帯端末３００で行われる例示的な駐車管理制御の流れを示す図である。図５の制御の流れは、図３の制御部３０９によって実行され、望ましくは、制御プログラム及び駐車場管理プログラムを用いて実行される。管理者携帯端末３００と駐車場管理サーバ１００との間に送受信される情報やデータなどは、管理者携帯端末３００の通信部３０３を介して送受信される。ここで、図１〜図４を参照して説明した内容については簡単に述べる。
【０１２５】
先ず、制御部３０９（制御プログラム）は、イベントを受信（Ｓ１０１参照）する。イベントは、ネットワークを介して受信されたり、入力部３０１を介して受信することが可能である。
【０１２６】
イベントの受信により、制御部３０９は、イベントが駐車場管理サーバ１００から受信された接続要求であるか否かを判別（Ｓ１０３参照）する。
【０１２７】
接続要求の受信である場合、制御プログラムは、アプリプログラムで構成された駐車場管理プログラムを駆動し、駐車場管理プログラムは、接続要求に応じて応答を生成して駐車場管理サーバ１００に送信（Ｓ１０５参照）する。接続要求に応じて、駐車場管理サーバ１００と管理者携帯端末３００は、データの送受信のためのセッションやチャンネルが構成される。
【０１２８】
接続要求は、遠隔呼び出しした車両ユーザの車両ナンバー、割引項目及び精算予定の駐車料金を含むことができる。
【０１２９】
接続要求により、制御部３０９は、駐車場管理サーバ１００の制御（調整）下にローカル駐車システム４００の機器とビデオチャンネルを設定（Ｓ１０７参照）する。ビデオチャンネルの設定は、制御部３０９とローカル駐車管理端末４１０との間で行うことができる。ローカル駐車管理端末４１０は、設定されたビデオチャンネルに複数のカメラ４９０、カメラモジュールのビデオ信号のうち１つのビデオ信号を載せて管理者携帯端末３００に送信することが可能である。接続要求は、すでに１つの機器による要求で行われているので、ローカル駐車管理端末４１０は、遠隔呼び出しが行われた機器のカメラモジュールからのビデオ信号を管理者携帯端末３００にビデオチャンネルを介して送信することが可能である。ビデオチャンネルは、リアルタイムプロトコルのチャンネルを示し、遠隔呼び出しした機器のローカル駐車管理端末４１０と管理者携帯端末３００との間で設定される。
【０１３０】
ビデオチャンネルの設定後に、又はビデオチャンネルの設定と共に、制御部３０９は、ビデオチャンネルを介して受信されたビデオ信号と車両ナンバー、割引項目、及び駐車料金をディスプレイ（Ｓ１０９参照）する。ビデオ信号は、ディスプレイ部３０７の一定の領域にリアルタイムでデコードされてディスプレイされる。車両ナンバー、割引項目、及び駐車料金などは、ビデオ領域とは異なる領域にテキストイメージでディスプレイされる。ディスプレイされた車両ナンバーは、入力部３０１によるユーザの入力で修正が可能であり、これにより修正された車両ナンバーに対応する割引項目や駐車料金を管理者が検索し、確認することが可能である。
【０１３１】
また、制御部３０９は、割引項目の適用を要求するためのアイコンを他の情報とビデオと共にディスプレイされる。
【０１３２】
管理者は、ビデオチャンネルを介して特定のデータや情報を取得することができ、割引項目の適用のためにアイコンを選択することができる。制御部３０９が入力部３０１を介してアイコンの選択を示す選択の入力を受信し、ディスプレイされた割引項目の適用を要求する適用要求を生成して駐車場管理サーバ１００に通信部３０３を経由して送信（Ｓ１１１参照）する。
【０１３３】
その後、制御部３０９は、駐車場管理サーバ１００から適用要求に応じた応答である精算完了情報を受信（Ｓ１１３参照）する。割引による精算が完了したことを確認した管理者は、ディスプレイ部３０７にディスプレイされている遮断バー制御アイコン（例えば、「開」、「閉」のような遮断バーの開閉のための選択アイコン）を選択して遮断バー制御情報を生成するようにする。管理者携帯端末３００は、遮断バー制御アイコンによる遮断バー制御情報を駐車場管理サーバ１００に送信（Ｓ１１５参照）する。
【０１３４】
このような流れにより、管理者は、リアルタイムで駐車場の車両のユーザと連動することが可能であり、駐車割引が可能であり、遠隔で駐車場遮断バーの開閉が可能である。
【０１３５】
一方、接続要求ではない場合であり、ユーザによる駐車場管理プログラムに対する選択入力である場合は、ステップＳ１１７で制御部３０９は、上位（Ｔｏｐ）メニューをディスプレイ（Ｓ１１７参照）する。
【０１３６】
上位メニューは、例えば、リアルタイム駐車状況情報をディスプレイする駐車状況ステータスバーを含み、選択入力が可能な駐車商品管理アイコン、カメラモニタリングアイコン、入出庫管理アイコン、及び無料車両管理アイコンなどを含む。
【０１３７】
上位メニューのディスプレイのために、制御部３０９は、駐車場管理サーバ１００から駐車現状情報を受信し、受信した駐車状況情報から駐車状況ステータスバーを生成してディスプレイする。駐車状況ステータスバーは、例えば、総駐車台数、駐車台数、駐車可能台数のうち１つ以上の情報を含む。
【０１３８】
駐車商品管理アイコンは、管理者が販売中の駐車商品を管理するためのアイコンである。当該アイコンの選択でサブメニューがディスプレイされ、当該サブメニューは、現在販売中の駐車商品の設定、変更などを可能にし、各駐車商品の購入履歴を駐車場管理サーバ１００と連動して確認することができる。
【０１３９】
入出庫管理アイコンの選択は、サブメニューがディスプレイされる。サブメニュー上で、管理者は、当該駐車場に入庫したり出庫した車両を確認し、検索することができる。無料車両管理アイコンは、当該駐車場を無料で利用可能な車両を管理するためのアイコンである。
【０１４０】
カメラモニタリングアイコンは、複数のカメラをモニターすることが可能であり、その他、駐車場の制御を可能にする。カメラモニタリングアイコンは、管理者によって選択され、管理者による選択の入力により制御部３０９は各種アイコンや入力ウィンドウを提供する。
【０１４１】
制御部３０９は、カメラモニタリングアイコンの選択の入力を入力部３０１により受信して、複数のカメラ選択アイコンをディスプレイ部３０７の一領域にディスプレイ（Ｓ１１９参照）する。例えば、駐車場に内蔵されたカメラモジュールを含んで８台のカメラが設置されている場合に、８つのカメラ選択アイコンが、ディスプレイ部３０７がディスプレイする領域の最上位の領域にディスプレイされる。
【０１４２】
ディスプレイ領域のカメラ選択アイコンの下方の領域には、選択されたカメラのビデオ信号が出力されるビデオ領域が位置し、このビデオ領域を介してデコードされたビデオ信号が出力される。カメラモニタリングアイコンの選択に応じてディスプレイされる各種アイコンと入力ウィンドウは、接続要求に応じてディスプレイされることもある。この時には、接続要求による機器のカメラのビデオ信号が自動的に先に出力される。
【０１４３】
また、ビデオ領域の下方には、遮断バーを制御するためのアイコン（「開」、「閉」）が位置し、その下方には、車両ナンバーの検索のための入力ウィンドウと検索ボタンが位置することができる。車両ナンバーの検索のための入力ウィンドウには、車両ナンバーを入力することができ、その後、駐車料金の精算、割引項目の適用に利用可能である。
【０１４４】
管理者は、ディスプレイされた複数のカメラ選択アイコンのうち１つの選択アイコンを選択することが可能である。制御部３０９は、特定のカメラアイコンの選択入力を受信（Ｓ１２１参照）し、当該選択による選択要求を駐車場管理サーバ１００やローカル駐車システム４００（ローカル駐車管理端末４１０）に送信（Ｓ１２３参照）する。
【０１４５】
駐車場管理サーバ１００、特にローカル駐車管理端末４１０は、ビデオ信号に対応するカメラの変更のための選択要求を受信することによって、当該カメラからのビデオ信号をデジタルで圧縮して、圧縮されたビデオ信号をすでに設定されているビデオチャンネルに送信し、管理者携帯端末３００は、選択されたカメラからのビデオ信号を受信（Ｓ１２５参照）し、デコードしてビデオ領域にディスプレイ（Ｓ１２７参照）する。
【０１４６】
このようなビデオの選択と確認によっても遠隔で駐車場を管理することができる。
【図１】
0006429099.tif 000002
【図２】
0006429099.tif 000003
【図３】
0006429099.tif 000004
【図４】
0006429099.tif 000005
【図５】
0006429099.tif 000006